(57)【要約】【課題】画像記録を開始した後、目的の画像を記録停止時間までの間に記録できない場合や、画像の記録中に急遽画像記録の時間を延長させる必要が生じた場合など、画像の記録停止を一時的に延長し、画像の記録を継続することができる画像記録装置を提供すること。【解決手段】タイマーによって画像の記録停止動作が予定されている際に、第１の操作を受け付けると画像記録動作を継続したままタイマーによる計時を一時的に停止し、第２の操作を受け付けるとタイマー手段の時計動作を再開することを特徴とする。【選択図】図１
2016122938.tif 000002
【特許請求の範囲】
【請求項１】
動画像や静止画像の画像を入力するための画像入力手段と、ＯＳＤや前記画像入力手段によって入力された画像を表示する表示手段と、前記画像入力手段によって入力された画像を記録するための画像記録手段と、ユーザの操作を受け付けるための操作部材による入力手段と、前記入力手段によって特定の操作を受け付けてからの時間を計測し、任意の時間が経過した後に前記画像記録手段の画像記録を停止することができるタイマー手段とを持ち、前記画像記録手段によって画像の記録動作が行われており、前記タイマー手段によって画像の記録停止動作が予定されている際に、前記入力手段によって第１の操作を受け付けることにより、前記画像記録手段の画像記録動作を継続したまま前記タイマー手段による計時を一時的に停止し、前記入力手段によって第２の操作を受け付けると前記タイマー手段の時計動作を再開することを特徴とする画像記録装置。
【請求項２】
前記画像入力手段は光学的に結像し、ＣＣＤやＣＭＯＳセンサーの撮像素子を用いて電気信号へと変換する撮像手段であることを特徴とする請求項１に記載の画像記録装置。
【請求項３】
前記画像入力手段はテレビ放送の電波を受信し、映像信号へと変換するチューナーであることを特徴とすう請求項１に記載の画像記録装置。
【請求項４】
前記表示手段はＬＣＤで構成され、前記操作部材は前記表示手段上に貼り付けられたタッチパネルであることを特徴とする請求項１至請求項３の何れか一項に記載の画像記録装置。
【請求項５】
前記第１の操作は前記表示手段上に表示された第１のボタンに対する前記タッチパネルによるタッチ操作であり、前記第２の操作は前記表示手段上に表示された第２のボタンに対する前記タッチパネルによるタッチ操作であることを特徴とする請求項４に記載の画像記録装置。
【請求項６】
前記第１の操作は前記表示手段上に表示されたオブジェクトに対する前記タッチパネルによるタッチ操作であり、前記第２の操作は前記オブジェクトに対するタッチ操作の解除であることをと好調とする請求項４に記載の画像記録装置。
【請求項７】
前記タイマー手段によって画像記録を停止するまでの時間を示すバーと現在の経過時間を前記表示手段に表示する内部進捗表示手段とをさらに持ち、前記第１の操作は前記内部進捗表示手段によって表示される画像記録を停止するまでの時間を示すバー全体の中で、現在の経過時間を示す位置の前記タッチパネルによるタッチ操作であり、前記第２の操作は前記第１の操作である現在の経過時間を示す位置のタッチ操作の解除であることを特徴とする請求項４に記載の画像記録装置。
【発明の詳細な説明】
【技術分野】
【０００１】
本発明は、画像記録装置に関する。
【背景技術】
【０００２】
近年、デジタルビデオカメラなどの画像記録装置の中には一定の時間で画像の記録を停止するものが出てきている。このような装置において、ユーザの画像記録の操作を受け付けた時間から画像記録の動作が終了されるまでの全体の時間と、現在の経過時刻がその間のどこに位置するのかを表示するために、プログレスバー表示を行うことが一般的に行われている。
【０００３】
このような機器では、画像記録を開始した後、目的の画像を記録停止時間までの間に記録できない場合や、画像の記録中に急遽画像記録の時間を延長させる必要が生じた場合など、画像の記録停止を一時的に延長し、画像の記録を継続したいということがある。このような場合、従来の技術では例えば従来の電子機器にはタイマー動作中に特定の操作をすることによってタイマー動作を停止し、通常動作をおこなうものがある（特許文献１参照）。また、ジェスチャ入力を行っている際に、途中まで入力されたジェスチャ入力を中止するものがある（特許文献２参照）。
【先行技術文献】
【特許文献】
【０００４】
【特許文献１】特開２０００−１６３８５８号公報
【特許文献２】特開平８−１６３１４号公報
【発明の概要】
【発明が解決しようとする課題】
【０００５】
しかしながら、上記従来技術の特許文献１に記載の電子機器では動作中のタイマ動作を止めてしまい、通常動作に戻ってしまうため、表示された動作を継続しながら、タイマーの進捗のみを一時的に停止させることができないという問題点があった。
【０００６】
また、上記特許文献２に記載の手法を用いた機器では、一定時間で記録を停止させるという画像記録動作の開始操作のジェスチャ入力をキャンセルすることはできるが、一旦画像記録動作が開始してしまった後には、その画像記録動作を継続したまま、記録終了時間を延長させることはできなかった。
【０００７】
本発明の目的は、画像記録を開始した後、目的の画像を記録停止時間までの間に記録できない場合や、画像の記録中に急遽画像記録の時間を延長させる必要が生じた場合など、画像の記録停止を一時的に延長し、画像の記録を継続することができる画像記録装置を提供することにある。
【課題を解決するための手段】
【０００８】
上記の目的を達成するために、本発明の画像記録装置は、動画像や静止画像などの画像を入力するための画像入力手段と、ＯＳＤや前記画像入力手段によって入力された画像を表示する表示手段と、前記画像入力手段によって入力された画像を記録するための画像記録手段と、ユーザの操作を受け付けるための操作部材による入力手段と、前記入力手段によって特定の操作を受け付けてからの時間を計測し、任意の時間が経過した後に前記画像記録手段の画像記録を停止することができるタイマー手段と、前記画像記録手段によって画像の記録動作が行われており、前記タイマー手段によって画像の記録停止動作が予定されている際に、前記入力手段によって第１の操作を受け付けることにより、前記画像記録手段の画像記録動作を継続したまま前記タイマー手段による計時を一時的に停止し、前記入力手段によって第２の操作を受け付けると前記タイマー手段の時計動作を再開することを特徴とする。
【０００９】
また、画像入力手段は光学的に結像し、ＣＣＤやＣＭＯＳセンサーなどの撮像素子を用いて映像信号へと変換する撮像手段であってもよい。
【００１０】
また、画像入力手段はテレビ放送などの電波を受信し、映像信号へと変換するチューナー手段であってもよい。
【００１１】
また、表示手段はＬＣＤなどで構成され、操作部材は前記表示手段上に貼り付けられたタッチパネルを用いたものであってもよい。
【００１２】
また、第１の操作はタッチパネルによる表示手段上に表示された第１のボタンへのタッチ操作であり、第２の操作は同じくタッチパネルによる表示手段上に表示された第２のボタンへのタッチ操作であってもよい。
【００１３】
また、第１の操作はタッチパネルによって表示手段上に表示された特定のオブジェクトへのタッチ操作であり、第２の操作は特定のオブジェクトへのタッチを解除する操作であってもよい。
【００１４】
また、前記タイマー手段によって画像記録を停止するまでの時間を示すバーと現在の経過時間を前記表示手段に表示する内部進捗表示手段とをさらに持ち、本発明の第１の操作は前記内部進捗表示手段によって標示される画像記録を停止するまでの時間を示すバー全体の中の現在の経過時間を示す位置のタッチパネルによるタッチ操作であり、第２の操作は第１の操作である現在の経過時間を示す一のタッチ操作の解除であってもよい。
【発明の効果】
【００１５】
本発明によれば、画像記録を開始した後、目的の画像を記録停止時間までの間に記録できない場合や、画像の記録中に急遽画像記録の時間を延長させる必要が生じた場合など、画像の記録停止を一時的に延長し、画像の記録を継続することができる画像記録装置の提供を実現できる。
【図面の簡単な説明】
【００１６】
【図１】本発明の実施形態におけるデジタルビデオカメラの構成を示すブロック図である。
【図２】本発明の実施形態におけるデジタルビデオカメラの外観構成を示す図である。
【図３】本発明の実施形態におけるデジタルビデオカメラの通常撮影モード時にＬＣＤ上に表示される画像を示した図である。
【図４】本発明の実施形態におけるデジタルビデオカメラのスナップモード時にＬＣＤ上に表示される画像を示した図である。
【図５】本発明の第１の実施形態におけるスナップモード時の処理の流れを示すフローチャートである。
【図６】本発明の第１の実施形態におけるスナップモード時にＬＣＤ上に表示される画像を示した図である。
【図７】本発明の第１の実施形態における記録時間延長ボタンをタッチ操作した際にＬＣＤ上に表示される画像を示した図である。
【図８】本発明の第２の実施形態におけるスナップモード時の処理の流れを示すフローチャートである。
【図９】本発明の第２の実施形態におけるスナップモード時に記録停止時間を延長させるためのプログレスバーの現在位置について説明した図である。
【図１０】本発明の第２の実施形態において、プログレスバーが未到達の位置をタッチした後にプログレスバーがタッチした位置に到達した状態を示した図である。
【発明を実施するための形態】
【００１７】
以下、本発明を実施するための形態を図面に基づいて説明する。
【００１８】
図１は以下に説明する第１から第２の実施の形態で使用するデジタルビデオカメラ１００の構成を示す機能ブロック図である。カメラ部１０１は撮像及び結像に必要なＣＣＤやＣＭＯＳなどのセンサーやカメラレンズ、音声の録音に必要なマイクなどの部材と画像及び音声をＭＰＥＧ２形式などへ符号化する符号化装置によって構成され、これらの部材によってカメラ部１０１では動画像及び静止画像の撮影を行うものである。
【００１９】
ＣＰＵ１０２はシステム制御部であり、デジタルビデオカメラの装置全体を制御するものである。ＬＣＤ１０３は撮影された動画像や静止画像及びメニューなどのＯＳＤ表示を表示させる表示装置である。タッチパネル１０４はＬＣＤ１０３上に貼り付けられており、ＬＣＤ１０３上に表示されたボタンや画像をタッチしたり、フリックやドラッグ操作によって表示されているページを変更するなどの操作を行う入力装置の一つである。
【００２０】
ＲＯＭ１０５はＣＰＵ１０２の制御プログラムや各種固定データを格納するものである。ＲＡＭ１０６はＳＲＡＭ、ＤＲＡＭ等で構成され、プログラム制御変数などを格納するためのものである。ＲＡＭはまた先読みした画像データや各種設定パラメータや各種ワーク用バッファ等も格納されるものである。記録メディア１０７はハードディスクやメモリカードなどの記録メディアであり、画像ファイルや画像の管理ファイルなどを保存しておくものである。操作部材１０８は電源ボタンや録画ボタン、ズームレバー、撮影モードと再生モードを切り替えるボタンなどのタッチパネルとは異なるハードウェアキーで構成される入力装置である。
【００２１】
図２は第１から第２の実施の形態で使用する本実施形態であるデジタルビデオカメラの外観の構成を示した図である。２０１はカメラ部１０１である。２０２はメディア挿入部であり、記録メディア１０７を挿入する。２０３、２０４、２０５、２０６、２０７は操作部材１０８である。２０３はズームレバーでありカメラ部のレンズを操作し画核を連続的に変更するための操作部材である。２０４は撮影開始及び停止ボタンであり、非撮影時にボタンを押すと撮影が開始され、撮影時に押すと撮影が停止する。２０５は電源スイッチであり、本実施形態のデジタルビデオカメラの主電源をＯＮ／ＯＦＦするためのボタンである。
【００２２】
２０６はデジタルビデオカメラの再生モード、撮影モード切替スイッチであり、動画像を撮影し記録するモードと記録された動画像を再生するモードを切り替えるスイッチである。２０７は撮影モードスイッチであり、通常の撮影モードとデジタルビデオカメラの撮影モードを規定時間で撮影停止される撮影モード（以下、スナップモードと称する）を切り替えるボタンである。
【００２３】
＜第１の実施形態＞
本発明を適用するに際して好適と思われる第１の実施の形態について、デジタルビデオカメラ１００におけるスナップモードでの動画撮影に於いてタッチボタンによる撮影停止の一時停止処理を行う場合について説明する。
【００２４】
デジタルビデオカメラ１００を電源スイッチ２０５を操作して起動する。ビデオカメラ１００は起動すると通常撮影モードとして起動し、ＬＣＤ１０３上には図３のような画像が表示される。撮影モードスイッチ２０７を用いてスナップモードへ切り替えると、図４のように画面周囲に撮影停止までの時間と、現在の撮影時間を示すためのプログレスバー４０１が表示される。スナップモードにおいて撮影開始及び停止ボタン２０４を操作すると、図５に示されるフローチャートに従って動画撮影処理が開始される。
【００２５】
ステップ５０１では動画の記録動作を開始する。動画の記録動作とはすなわち、ＣＰＵ１０２がカメラ部１０１に於いて撮像し符号化された映像データをＲＡＭ１０８上に一時的に記録し、一定量の映像データがＲＡＭ１０８上に記録されると記録メディア１０７へとＲＡＭ１０８上に保存された映像データをコピーする処理の繰り返しである。
【００２６】
ステップ５０２では内部変数を初期化する。内部変数Ｔｉｍｅｒに４秒という値、ｔ、ｔ１、ｔ２に０秒を代入する。このＴｉｍｅｒに設定される値は、スナップモードに於いて動画撮影を撮影開始してから停止するまでの時間であり、内部変数ｔはスナップモードでの撮影時間を計測するための変数である。
【００２７】
ステップ５０３では撮影時間に０秒を代入する。撮影を開始すると記録済み撮影シーン数６０２の表示が撮影時間表示６０３へと変わり、撮影時間表示６０３は「００：００：００」から１秒間隔で「００：００：０１」、「００：００：０２」と撮影時間を画面に表示するために使用する。撮影時間表示６０３は１秒間隔で表示されているが内部的には１秒以下のより詳細な時間を保持している。
【００２８】
ステップ５０４ではＬＣＤ１０３上に記録時間延長ボタンを表示する。図６（ｂ）のように画面右下に記録時間延長ボタン６０１が表示される。ステップ５０５ではスナップモードの撮影時間を計測するための変数ｔが内部変数Ｔｉｍｅｒを超えているか比較する。もしｔがＴｉｍｅｒ以上であれば、ステップ５０６へと遷移し、ｔがＴｉｍｅｒ未満であればステップ５０７へと遷移する。ステップ５０６では動画記録を停止し、撮影時間表示６０３から撮影シーン数表示６０２に変わる。
【００２９】
ステップ５１３では記録時間延長ボタン６０１を消去する。ステップ５０７では内部変数ｔ１に現在の撮影時間をセットする。ステップ５０８では記録時間延長ボタン６０１がタッチ操作されているか否かを検出する。タッチの検出が無ければステップ５０９へ遷移する。ステップ５０９では内部変数ｔ１の値と内部変数ｔ２の値の差分を計算し、内部変数ｔに加算する。
【００３０】
ステップ５１０ではステップ５０９で計算された内部変数ｔの値に応じてプログレスバー４０１を再描画します。プログレスバー４０１は例えば図６（ａ）から図６（ｂ）、図６（ｃ）のように内部変数ｔの値の増大に伴って撮影停止までの時間に対する経過時間を示すプログレスバーの色の変化６０４の領域が増えていき、すべての色が変わった時点でステップ５０５において内部変数ｔの値が内部変数Ｔｉｍｅｒ以上となり、ステップ５０６へと遷移し撮影が停止することを表している。
【００３１】
ステップ５１１では内部変数ｔ２に内部変数ｔ１の値を代入している。この処理によりステップ５０９でプログレスバーが経過した時間を計算することができる。ステップ５１２では撮影時間を撮影開始時点から現在までの時間に変更する。
【００３２】
ステップ５０８でタッチ操作を検出した場合はステップ５１１へと遷移する。記録時間延長ボタン６０１がタッチ操作されている場合とはすなわち図７（ａ）のような状態である。図７（ａ）は図６（ｂ）と同じタイミングで記録時間延長ボタン６０１がタッチされた場合を表している。
【００３３】
ステップ５０８で記録時間延長ボタンのタッチ操作を検出した場合、ステップ５０９及びステップ５１０の処理を行わないため、内部変数ｔの更新及びプログレスバーが再描画されないままとなる。そのため、記録時間延長ボタン６０１のタッチ操作を図７（ａ）から継続し続け、図６（ｃ）と同じタイミングでは図７（ｂ）の状態となる。撮影時間表示６０３が図６（ｃ）と同じ「００：００：０２」へと変化し、撮影時間が図７（ａ）からおよそ１秒程度経過したことを示している。しかし、撮影停止までの時間に対する経過時間を示すプログレスバーの色の変化６０４の領域は図６（ｃ）と異なり、記録時間延長ボタン６０１を押した図７（ａ）の時点のまま変わっていないことが分かる。図７（ｂ）の時点で記録時間延長ボタン６０１のタッチを解除すると、ステップ５０８の処理でステップ５０９へ遷移先が変わり、プログレスバーの更新が再開される。
【００３４】
プログレスバーが図６（ｃ）と同じ状態となった時を示しているのが図７（ｃ）である。撮影停止までの時間に対する経過時間を示すプログレスバーの色の変化６０４の領域は図６（ｃ）と同じであるが、撮影時間表示６０３の数値が図６（ｃ）と異なり「００：００：０３」と記録時間延長ボタン６０１をタッチしていた分だけ延びていることが分かる。
【００３５】
このように本実施例のようにスナップモードを持ったデジタルビデオカメラにおいて、記録時間延長ボタンを設け、そのタッチ時間中は撮影停止時間までの計時を止めることができるため、撮影を開始した後、目的の映像を記録停止時間までの間に記録できない場合や、映像の記録中に急遽記録時間を延長させる必要が生じた場合など、映像の記録停止を一時的に延長し、映像の記録を継続することができる。
【００３６】
＜第２の実施形態＞
本発明を適用するに際して好適と思われる第２の実施の形態について、デジタルビデオカメラ１００におけるスナップモードでの動画撮影に於いて、プログレスバーのタッチ操作による撮影停止の一時停止処理を行う場合について説明する。
【００３７】
第１の実施の形態同様に電源スイッチ２０５を操作して起動し、撮影モードスイッチ２０７を用いてスナップモードへ切り替え、撮影開始及び停止ボタン２０４を操作すると、図８に示されるフローチャートに従って動画撮影処理が開始される。
【００３８】
図８に示されるステップ８０１、８０２、８０３、８０４、８０５、８０６、８０８、８０９、８１０、８１１は第１の実施の形態における図５のステップ５０１、５０２、５０３、５０５、５０６、５０７、５０９、５１０、５１１、５１２と同様の処理となっているため、動作についての説明は省略し、第１の実施の形態と異なる動作であるステップ８０７について説明する。
【００３９】
ステップ８０７はスナップモードの撮影停止までの時間と、現在の撮影時間を示すためのプログレスバーの現在位置のタッチを検出した場合はステップ８１０へと遷移し、そうでない場合はステップ８０８へと遷移する。現在位置とは図９（ａ）の９０１で示したように、プログレスバーの色が変わる境界部分のことである。
【００４０】
図９（ｂ）のように現在位置をタッチしている場合はステップ８０７からステップ８１０へ遷移し、それ以外のプログレスバー位置をタッチしている場合、例えば図９（ｃ）のように現在位置９０１が既に通り過ぎておりプログレスバーの色が変化してしまっている領域をタッチしている場合や、図９（ｄ）のように現在位置９０１がまだ到達していない領域をタッチしている場合は現在位置をタッチ検出していないと判断され、ステップ８０７からステップ８０８へ遷移する。しかし、図９（ｄ）の状態から時間が経過し、現在位置９０１が図１０の位置に到達した時点でステップ８０７の処理で現在位置のタッチが検出され、ステップ８１０へと遷移するようになる。
【００４１】
このように本実施例のようにスナップモードをもったデジタルビデオカメラにおいて、記録停止までの時間に対する現在の時間経過を示すプログレスバーの現在位置をタッチしている間は撮影停止時間までの時計を止めることができるため、撮影を開始した後、目的の映像を記録停止時間までの間に記憶できない場合や、映像の記録中に急遽記録時間を延長っセル必要が生じた場合など、映像の記録停止を一時的に延長し、映像の記録を継続することができる。
【００４２】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【００４３】
また、上述の実施形態の機能を実現するソフトウェアのプログラムを、記録媒体から直接、或いは有線／無線通信を用いてプログラムを実行可能なコンピュータを有するシステム又は装置に供給し、そのプログラムを実行する場合も本発明に含む。
【００４４】
従って、本発明の機能処理をコンピュータで実現するために、該コンピュータに供給、インストールされるプログラムコード自体も本発明を実現するものである。つまり、本発明の機能処理を実現するためのコンピュータプログラム自体も本発明に含まれる。その場合、プログラムの機能を有していれば、オブジェクトコード、インタプリタにより実行されるプログラム、ＯＳに供給するスクリプトデータ等、プログラムの形態を問わない。
【００４５】
プログラムを供給するための記録媒体としては、例えば、ハードディスク、磁気テープ等の磁気記録媒体、光／光磁気記憶媒体、不揮発性の半導体メモリでもよい。また、プログラムの供給方法としては、コンピュータネットワーク上のサーバに本発明を形成するコンピュータプログラムを記憶し、接続のあったクライアントコンピュータはがコンピュータプログラムをダウンロードしてプログラムするような方法も考えられる。
【符号の説明】
【００４６】
１０３  ＬＣＤ、１０４  タッチパネル、２０１  カメラ部、２０２  メディア挿入部、
２０３  ズームレバー、２０４  撮影開始及び停止ボタン、２０５  電源スイッチ、
２０６  撮影モード，再生モード切替スイッチ、２０７  撮影モードスイッチ
【図１】
2016122938.tif 000003
【図２】
2016122938.tif 000004
【図３】
2016122938.tif 000005
【図４】
2016122938.tif 000006
【図５】
2016122938.tif 000007
【図６】
2016122938.tif 000008
【図７】
2016122938.tif 000009
【図８】
2016122938.tif 000010
【図９】
2016122938.tif 000011
【図１０】
2016122938.tif 000012